(57)【要約】      （修正有）【課題】スマートフォン／タブレット用の電池箱を有するケースを提供する。【解決手段】スマートフォン／タブレット用の保持リングを形成するように上部が内側に曲げられている４つの側壁１９と底部１２を有する矩形の開口箱体であり、内部空間がスマートフォン／タブレットと同じサイズおよび形状であるスマートフォン／タブレット箱と、底部がスマートフォン／タブレット箱の底部の一部であり、電池収容用の矩形の開口箱体である電池箱と、電池とスマートフォン／タブレットの電源プラグとを接続するための電池電気接続ユニットと、当該電池箱を閉じて当該電池箱内の電池を保持するためのカバーと、当該カバーを当該電池箱にロックするためのロックユニットとを含む。【選択図】図２Ｅ
2018139402.tif 000002
【特許請求の範囲】
【請求項１】
スマートフォン／タブレット用の電池箱を有するケースであって、
スマートフォン／タブレット用の保持リングを形成するように上部が内側に曲げられている４つの側壁と底部を有する矩形の開口箱体であり、内部空間がスマートフォン／タブレットと同じサイズおよび形状であるスマートフォン／タブレット箱と、
底部がスマートフォン／タブレット箱の底部の一部であり、電池収容用の矩形の開口箱体である電池箱と、
電池とスマートフォン／タブレットの電源プラグとを接続するための電池電気接続ユニットと、
前記電池箱を閉じて前記電池箱内の電池を保持するためのカバーと、
前記カバーを前記電池箱にロックするためのロックユニットとを含むことを特徴とするスマートフォン／タブレット用の電池箱を有するケース。
【請求項２】
前記電池箱は、４つの側壁と、８本の単三電池または８本の単四電池を収容するための内部空間を有し、
前記電池箱の４つの側壁の各側壁の外側面に、前記カバーを前記電池箱にロックするための突起を有することを特徴とする請求項１に記載のスマートフォン／タブレット用の電池箱を有するケース。
【請求項３】
前記カバーは、４つの側壁と底部とを有する矩形の開口箱体であり、
前記カバーの４つの側壁の各側壁の内側面は、前記突起に対応する凹部を有し、
前記凹部及び前記突起で前記ロックユニットを構成し、
前記カバーを前記電池箱に載置すると、前記突起がそれぞれ前記凹部に入り込むことによって、前記電池箱のカバーが前記電池箱にロックされることを特徴とする請求項２に記載のスマートフォン／タブレット用の電池箱を有するケース。
【請求項４】
前記電池電気接続ユニットは、８つの接続部材と８つの接続スプリングを含み、
４つの接続部材と４つの接続スプリングの直列接続による接続組の２組は、並列に接続されてスマートフォン／タブレットの電源プラグに接続されていることを特徴とする請求項１に記載のスマートフォン／タブレット用の電池箱を有するケース。
【請求項５】
前記カバーは、矩形の板であり、
前記電池箱の２つの対向内側壁にそれぞれ溝が形成され、
板状の前記カバーが２つの溝に差し込まれて前記電池箱を閉じることを特徴とする請求項１に記載のスマートフォン／タブレット用の電池箱を有するケース。
【請求項６】
ワイヤレス充電カードは、前記カバーの底部の外側面に固定されるとともに、スイッチとの直列接続後に２つの接続組に並列に接続され、
ワイヤレス充電カードに給電すると、スイッチがオンとなり、逆の場合、スイッチがオフとなることを特徴とする請求項３に記載のスマートフォン／タブレット用の電池箱を有するケース。
【請求項７】
ワイヤレス充電カードは、前記カバーの外側面に固定されるとともに、スイッチとの直列接続後に２つの接続組に並列に接続され、
ワイヤレス充電カードに給電すると、スイッチがオンとなり、逆の場合、スイッチがオフとなることを特徴とする請求項５に記載のスマートフォン／タブレット用の電池箱を有するケース。
【請求項８】
前記スマートフォン／タブレット箱、前記電池箱及び前記カバーは、弾性材料で作製されることを特徴とする請求項１に記載のスマートフォン／タブレット用の電池箱を有するケース。
【請求項９】
前記カバーは、スマートフォン／タブレット用の電池箱を有するケースの保持を容易にするために、前記電池箱のカバーの側縁に接続された保持バーを有することを特徴とする請求項１に記載のスマートフォン／タブレット用の電池箱を有するケース。
【請求項１０】
スマートフォン／タブレット用の電池箱を有するケースであって、
スマートフォン／タブレット用の保持リングを形成するように上部が内側に曲げられている４つの側壁と底部を有する矩形の開口箱体であり、内部空間がスマートフォン／タブレットと同じサイズおよび形状であるスマートフォン／タブレット箱と、
回転可能なカバーを有し、電池収容用の矩形の開口箱体である電池箱と、
前記スマートフォン／タブレット箱と前記電池箱を接続するための接続ユニットと、
電池とスマートフォン／タブレットの電源プラグを接続するための電池電気接続ユニットと、
前記カバーを前記電池箱にロックするためのロックユニットとを含むことを特徴とするスマートフォン／タブレット用の電池箱を有するケース。
【請求項１１】
前記接続ユニットは、前記電池箱の外側面の２つの凸キーと前記スマートフォン／タブレット箱の外側面の２つの溝、またはその反対の構成を含み、
前記２つの凸キーが前記２つの溝に差し込まれることによって、前記電池箱が前記スマートフォン／タブレット箱に接続されることを特徴とする請求項１０に記載のスマートフォン／タブレット用の電池箱を有するケース。
【請求項１２】
前記電池箱は、一部が前記電池箱の外面に貼り付けられるが別の一部がスマートフォン／タブレット箱の外面に貼り付けられ、または、その反対の構成のフックアンドループファスナである前記接続ユニットにより、前記スマートフォン／タブレット箱に密着されていることを特徴とする請求項１１に記載のスマートフォン／タブレット用の電池箱を有するケース。
【請求項１３】
前記電池箱は、８本の単三電池または８本の単四電池を収容する内部空間を有することを特徴とする請求項１０に記載のスマートフォン／タブレット用の電池箱を有するケース。
【請求項１４】
前記電池電気接続ユニットは、８つの接続部材と８つの接続スプリングを含み、
４つの接続部材と４つの接続スプリングの直列接続による接続組の２組は、並列に接続されてスマートフォン／タブレットの電源プラグに接続されていることを特徴とする請求項１０に記載のスマートフォン／タブレット用の電池箱を有するケース。
【請求項１５】
ワイヤレス充電カードは、前記カバーの外側面に固定されるとともに、スイッチとの接続後に２つの接続組に並列に接続され、
ワイヤレス充電カードに給電すると、スイッチがオンとなり、逆の場合、スイッチがオフとなることを特徴とする請求項１４に記載のスマートフォン／タブレット用の電池箱を有するケース。
【請求項１６】
前記スマートフォン／タブレット箱の外面は、前記スマートフォン／タブレットの電源プラグに接続された第１電気コネクタ対を有し、
前記電池箱の外面は、電池電気接続ユニットに接続された第２電気コネクタ対を有し、
前記電池箱が前記スマートフォン／タブレット箱に接続されると、第１電気コネクタ対と第２電気コネクタ対が接触することを特徴とする請求項１４に記載のスマートフォン／タブレット用の電池箱を有するケース。
【請求項１７】
前記カバーは、前記電池箱にヒンジ結合され、
前記ロックユニットは、ハスプであることを特徴とする請求項１０に記載のスマートフォン／タブレット用の電池箱を有するケース。
【請求項１８】
前記カバーは、スマートフォン／タブレット用の電池箱を有するケースの保持を容易にするために、前記電池箱のカバーの側縁に接続された保持バーを有することを特徴とする請求項１０に記載のスマートフォン／タブレット用の電池箱を有するケース。
【発明の詳細な説明】
【技術分野】
【０００１】
本発明は、モバイルフォン及びタブレットのアクセサリーに関し、詳細にはスマートフォン／タブレット用の電池箱を有するケースに関する。
【背景技術】
【０００２】
現在、スマートフォンやタブレットは、サイズが大きくなりつつあり、ユーザの使用時間もますます長くなっている。特に、ｉｐｈｏｎｅ（登録商標）  ６＋のような大型携帯電話、タブレット、大型のＡｎｄｒｏｉｄ（登録商標）搭載端末は、普及しつつある。ただし、これらのデバイスをサポートできる長時間にわたり使用可能な電池が不足している。さまざまなスマートフォンやタブレットのケースは、保護機能しかなく、これらのデバイスをサポートする長時間電池の難題を解決できていない。
【発明の概要】
【発明が解決しようとする課題】
【０００３】
本発明の目的は、下記の思想によって実現される。本発明の目的は、上記難題を解決するために、スマートフォン／タブレット用の電池箱を有するケースを提供することである。すなわち、新規のケースは、ワイヤレス充電カード付き電池箱を有し、スマートフォン／タブレットのスタンバイ給電デバイスになる。また、当該電池箱内の使用済みの電池は、新しい電池に簡単に取り替えることができる。
【課題を解決するための手段】
【０００４】
本発明の目的を実現するために、本発明のスマートフォン／タブレット用の電池箱を有するケースは、スマートフォン／タブレット用の保持リングを形成するように上部が内側に曲げられている４つの側壁と底部を有する矩形の開口箱体であり、内部空間がスマートフォン／タブレットと同じサイズおよび形状であるスマートフォン／タブレット箱と、底部がスマートフォン／タブレット箱の底部の一部であり、電池収容用の矩形の開口箱体である電池箱と、電池とスマートフォン／タブレットの電源プラグとを接続するための電池電気接続ユニットと、前記電池箱を閉じて前記電池箱内の電池を保持するためのカバーと、前記カバーを前記電池箱にロックするためのロックユニットとを含む。
【０００５】
別の実施形態において、電池箱とスマートフォン／タブレット箱とは、離間した単体であり、接続ユニットによって接続される。
【０００６】
電池箱は、４つの側壁と、８本の単三電池または単四電池を収容するための内部空間を有する。４つの側壁の各外側面に、当該カバーを当該電池箱にロックするための突起を有する。
【０００７】
カバーは、４つの側壁と底部とを有する矩形の開口箱体である。当該４つの側壁の各内側面は、電池箱の突起に対応する凹部を有する。凹部及び突起でロックユニットを構成する。カバーを電池箱に載置すると、突起がそれぞれ凹部に入り込むことによって、電池箱のカバーが電池箱にロックされる。
【０００８】
電池電気接続ユニットは、８つの接続部材と８つの接続スプリングを含む。４つの接続部材と４つの接続スプリングの直列接続による接続組の２組は、並列に接続されてスマートフォン／タブレットの電源プラグに接続されている。
【０００９】
ワイヤレス充電カードは、カバーの底部の外側面に固定されるとともに、スイッチとの直列接続後に２つの接続組に並列に接続されている。ワイヤレス充電カードに給電すると、スイッチがオンとなり、逆の場合、スイッチがオフとなる。
【発明の効果】
【００１０】
スマートフォン／タブレット用の電池箱を有するケースは、スマートフォン／タブレットユーザーにとって大きな利便性をもたらす。電池箱には、スマートフォン／タブレットに長時間にわたってエネルギーを供給するのに充分な８本の単三または単四電池を収容することができる。同時に、本発明のスマートフォン／タブレット用の電池箱を有するケースによれば、例えば高所に登る人や登山者または野外作業者、遠距離で長時間にわたり旅行する人が、通常の単三または単四サイズの乾電池を充分に携帯することができ、たとえ数日道に迷ってもスタンバイの単三／単四電池を使用して助けを求めることができる。
【図面の簡単な説明】
【００１１】
【図１Ａ】スマートフォン／タブレット用の電池箱を有するケースを示す分解斜視図である。
【図１Ｂ】スマートフォン／タブレット用の電池箱を有するケースを示す横断面図である。
【図１Ｃ】スマートフォン／タブレット用の電池箱を有するケースの電気的接続を示す模式図である。
【図２Ａ】スマートフォン／タブレット用の電池箱を有するケースを示す正面図である。
【図２Ｂ】スマートフォン／タブレット用の電池箱を有するケースを示す平面図である。
【図２Ｃ】スマートフォン／タブレット用の電池箱を有するケースを示す左側面図である。
【図２Ｄ】図２ＡのＡ−Ａ線に沿った横断面図である。
【図２Ｅ】図２ＡのＢ−Ｂ線に沿った横断面図である。
【図３Ａ】電池箱のカバーを示す正面図である。
【図３Ｂ】図３ＡのＣ−Ｃ線に沿った横断面図である。
【図４Ａ】第２実施形態に係る電池箱のカバーを示す正面図である。
【図４Ｂ】第２実施形態に係る電池箱のカバーを示す平面図である。
【図４Ｃ】第２実施形態に係る電池箱のカバーを示す部分断面図である。
【図５Ａ】第３実施形態に係る電池箱を示す図である。
【図５Ｂ】第３実施形態に係るスマートフォン／タブレットの電池箱の箱体を示す図である。
【図５Ｃ】第３実施形態に係る電池箱とスマートフォン／タブレット箱をフックアンドループファスナーで接続した状態を示す図である。
【図５Ｄ】第３実施形態に係る電池箱とスマートフォン／タブレット箱とをキーとキー溝で接続した状態を示す図である。
【図５Ｅ】第１電気コネクタ対を有する第３実施形態に係るスマートフォン／タブレット箱の図である。
【図５Ｆ】第２電気コネクタ対を有する第３実施形態に係るスマートフォン／タブレット箱の図である。
【発明を実施するための形態】
【００１２】
以下、添付図面を参照して、本発明の実施形態を詳細に説明する。
【００１３】
図１Ａと図１Ｂに示すように、スマートフォン／タブレット用の電池箱を有するケースは、スマートフォン／タブレット箱８と、電池箱４と、電池電気接続ユニットと、電池箱４を閉じるためのカバー１と、ワイヤレス充電カード２と、電池３とを含む。電池３は、電池箱４内に配置され、スマートフォン／タブレット７は、スマートフォン／タブレット箱８内に配置される。
【００１４】
図２Ａ、図２Ｂ、図２Ｃ、図２Ｄ及び図２Ｅに示すように、スマートフォン／タブレット箱８は、４つの側壁１９及び矩形の底部１２を有する矩形の開口箱体であり、当該４つの側壁１９の上部がスマートフォン／タブレット７用の保持リング１１を形成するように内側に曲げられている。底部１２は、スマートフォン／タブレットのカメラレンズのための穴４０を有する。スマートフォン／タブレット箱８の内部空間は、スマートフォン／タブレット７と同じ大きさ及び形状を有する。
【００１５】
電池箱４は、４つの側壁と矩形の底部を有する矩形の開口箱体である。その底部１３は、スマートフォン／タブレット箱８の底部１２より小さく、かつ底部１２の一部である。電池箱４の内部空間は、８本の電池（単三または単四）を収容することができる。電池の数は、他の任意の数であってもよい。当該４つの側壁の各外側面は、カバー１をロックするための突起１４を有する。
【００１６】
電池箱４を閉じるためのカバー１は、側壁２１と矩形の底部１６とを有する矩形の開口箱体である。カバー１の内部空間は、電池箱４と同じ大きさ及び形状を有する。側壁２１の各内側面には、突起１４に対応する凹部１５を有する。カバー１を電池箱４に載置して押し下げると、突起１４がそれぞれ凹部１５に入り込むことによって、カバー１と電池箱４とがロックされる。
【００１７】
カバー１は、スマートフォン／タブレット用の電池箱を有するケースの保持を容易にするために、電池箱のカバー１の側縁に接続された保持バー３２を有する。
【００１８】
ワイヤレス充電カード２は、矩形のカードであり、カバー１の底部１６の内側面に固定されている。ワイヤレス充電カード２は、市販品である。
【００１９】
図１Ｃに示すように、電池電気接続ユニット（電池回路構造）は、８つの接続部材６と８つの接続スプリング５を含む。４つの接続部材６と４つの接続スプリング５の直列接続による接続組の２組は、並列に接続されてスマートフォン／タブレット７の電源プラグ９に接続されている。接続部材、接続スプリング、接続組の数は、任意の数であってもよい。
【００２０】
電池箱４は８本の単三電池または８本の単４形電池を有し、４本の電池で１組を構成し、８本の電池が２組に分かれる。各組において、４本の電池が直列に接続され、２組の電池が並列に接続される。
【００２１】
ワイヤレス充電カード２は、スイッチ１０と直列に接続され、２つの接続組と並列に接続される。ワイヤレス充電カード２に電力が供給されるとスイッチがオンになり、そうでない場合にはオフになる。
【００２２】
図４Ａ、図４Ｂ、図４Ｃを参照する。第２実施形態では、カバー１７は、矩形の板である。ワイヤレス充電カード２は、カバー１７に固定されている。電池箱の２つの対向する壁には、電池箱４を閉じるためにカバー１７を挿入することができる１対の溝１８が設けられている。
【００２３】
スマートフォン／タブレット箱８、電池箱４及びカバー１，１７は、プラスチック等の弾性材料から作製される。
【００２４】
第３実施形態に係る図５Ａ、図５Ｂ、図５Ｃ及び図５Ｄを参照する。電池箱２０は、スマートフォン／タブレット箱２２から取り外されている。この違いを除いて、例えば電池箱２０とスマートフォン／タブレット箱２２のサイズや形状などの他の特徴は、第１実施形態の電池電気接続ユニットと同じである。
【００２５】
電池箱２０は、電池箱２０の内面のキー２３とスマートフォン／タブレット箱２２の外面の溝２９、又はその反対の構成である接続ユニットによって、スマートフォン／タブレット箱２２に密着されている。
【００２６】
別の実施形態では、接続ユニットは、フックアンドループファスナ（ｈｏｏｋ  ａｎｄ  ｌｏｏｐ  ｆａｓｔｅｎｅｒ）である。フックアンドループファスナの一部２８は、電池箱２０の外面に貼り付けられ、フックアンドループファスナの別の部分２７は、スマートフォン／タブレット箱２２の外面に貼り付けられる。または、その反対の構成であってもよい。よって、電池箱２０は、スマートフォン／タブレット箱２２に密着されている。
【００２７】
電池箱２０は、カバー４１を有する。カバー４１は、ヒンジ３０によって電池箱に接続されている。ハスプ（ｈａｓｐ）２４のロック装置は、カバー４１と電池箱２２をロックし、またはロックを解除する。
【００２８】
スマートフォン／タブレット用の電池箱を有するケースの保持を容易にするために、保持バー３１は、電池箱のカバーの片側に接続される。
【００２９】
図５Ｄ、図５Ｅおよび図５Ｆに示すように、スマートフォン／タブレット箱２２の外面は、スマートフォン／タブレットの電源プラグ９に接続された第１電気コネクタ対３５を有し、電池箱２０の外面は、電池電気接続ユニットに接続された第２電気コネクタ対３６を有する。電池箱がスマートフォン／タブレット箱に接続されると、第１電気コネクタ対３５と第２電気コネクタ対３６とは接触する。
【００３０】
（付記）
（付記１）
スマートフォン／タブレット用の電池箱を有するケースであって、
スマートフォン／タブレット用の保持リングを形成するように上部が内側に曲げられている４つの側壁と底部を有する矩形の開口箱体であり、内部空間がスマートフォン／タブレットと同じサイズおよび形状であるスマートフォン／タブレット箱と、
底部がスマートフォン／タブレット箱の底部の一部であり、電池収容用の矩形の開口箱体である電池箱と、
電池とスマートフォン／タブレットの電源プラグとを接続するための電池電気接続ユニットと、
前記電池箱を閉じて前記電池箱内の電池を保持するためのカバーと、
前記カバーを前記電池箱にロックするためのロックユニットとを含むことを特徴とするスマートフォン／タブレット用の電池箱を有するケース。
【００３１】
（付記２）
前記電池箱は、４つの側壁と、８本の単三電池または８本の単四電池を収容するための内部空間を有し、
前記電池箱の４つの側壁の各側壁の外側面に、前記カバーを前記電池箱にロックするための突起を有することを特徴とする付記１に記載のスマートフォン／タブレット用の電池箱を有するケース。
【００３２】
（付記３）
前記カバーは、４つの側壁と底部とを有する矩形の開口箱体であり、
前記カバーの４つの側壁の各側壁の内側面は、前記突起に対応する凹部を有し、
前記凹部及び前記突起で前記ロックユニットを構成し、
前記カバーを前記電池箱に載置すると、前記突起がそれぞれ前記凹部に入り込むことによって、前記電池箱のカバーが前記電池箱にロックされることを特徴とする付記２に記載のスマートフォン／タブレット用の電池箱を有するケース。
【００３３】
（付記４）
前記電池電気接続ユニットは、８つの接続部材と８つの接続スプリングを含み、
４つの接続部材と４つの接続スプリングの直列接続による接続組の２組は、並列に接続されてスマートフォン／タブレットの電源プラグに接続されていることを特徴とする付記１に記載のスマートフォン／タブレット用の電池箱を有するケース。
【００３４】
（付記５）
前記カバーは、矩形の板であり、
前記電池箱の２つの対向内側壁にそれぞれ溝が形成され、
板状の前記カバーが２つの溝に差し込まれて前記電池箱を閉じることを特徴とする付記１に記載のスマートフォン／タブレット用の電池箱を有するケース。
【００３５】
（付記６）
ワイヤレス充電カードは、前記カバーの底部の外側面に固定されるとともに、スイッチとの直列接続後に２つの接続組に並列に接続され、
ワイヤレス充電カードに給電すると、スイッチがオンとなり、逆の場合、スイッチがオフとなることを特徴とする付記３に記載のスマートフォン／タブレット用の電池箱を有するケース。
【００３６】
（付記７）
ワイヤレス充電カードは、前記カバーの外側面に固定されるとともに、スイッチとの直列接続後に２つの接続組に並列に接続され、
ワイヤレス充電カードに給電すると、スイッチがオンとなり、逆の場合、スイッチがオフとなることを特徴とする付記５に記載のスマートフォン／タブレット用の電池箱を有するケース。
【００３７】
（付記８）
前記スマートフォン／タブレット箱、前記電池箱及び前記カバーは、弾性材料で作製されることを特徴とする付記１に記載のスマートフォン／タブレット用の電池箱を有するケース。
【００３８】
（付記９）
前記カバーは、スマートフォン／タブレット用の電池箱を有するケースの保持を容易にするために、前記電池箱のカバーの側縁に接続された保持バーを有することを特徴とする付記１に記載のスマートフォン／タブレット用の電池箱を有するケース。
【００３９】
（付記１０）
スマートフォン／タブレット用の電池箱を有するケースであって、
スマートフォン／タブレット用の保持リングを形成するように上部が内側に曲げられている４つの側壁と底部を有する矩形の開口箱体であり、内部空間がスマートフォン／タブレットと同じサイズおよび形状であるスマートフォン／タブレット箱と、
回転可能なカバーを有し、電池収容用の矩形の開口箱体である電池箱と、
前記スマートフォン／タブレット箱と前記電池箱を接続するための接続ユニットと、
電池とスマートフォン／タブレットの電源プラグを接続するための電池電気接続ユニットと、
前記カバーを前記電池箱にロックするためのロックユニットとを含むことを特徴とするスマートフォン／タブレット用の電池箱を有するケース。
【００４０】
（付記１１）
前記接続ユニットは、前記電池箱の外側面の２つの凸キーと前記スマートフォン／タブレット箱の外側面の２つの溝、またはその反対の構成を含み、
前記２つの凸キーが前記２つの溝に差し込まれることによって、前記電池箱が前記スマートフォン／タブレット箱に接続されることを特徴とする付記１０に記載のスマートフォン／タブレット用の電池箱を有するケース。
【００４１】
（付記１２）
前記電池箱は、一部が前記電池箱の外面に貼り付けられるが別の一部がスマートフォン／タブレット箱の外面に貼り付けられ、または、その反対の構成のフックアンドループファスナである前記接続ユニットにより、前記スマートフォン／タブレット箱に密着されていることを特徴とする付記１１に記載のスマートフォン／タブレット用の電池箱を有するケース。
【００４２】
（付記１３）
前記電池箱は、８本の単三電池または８本の単四電池を収容する内部空間を有することを特徴とする付記１０に記載のスマートフォン／タブレット用の電池箱を有するケース。
【００４３】
（付記１４）
前記電池電気接続ユニットは、８つの接続部材と８つの接続スプリングを含み、
４つの接続部材と４つの接続スプリングの直列接続による接続組の２組は、並列に接続されてスマートフォン／タブレットの電源プラグに接続されていることを特徴とする付記１０に記載のスマートフォン／タブレット用の電池箱を有するケース。
【００４４】
（付記１５）
ワイヤレス充電カードは、前記カバーの外側面に固定されるとともに、スイッチとの接続後に２つの接続組に並列に接続され、
ワイヤレス充電カードに給電すると、スイッチがオンとなり、逆の場合、スイッチがオフとなることを特徴とする付記１４に記載のスマートフォン／タブレット用の電池箱を有するケース。
【００４５】
（付記１６）
前記スマートフォン／タブレット箱の外面は、前記スマートフォン／タブレットの電源プラグに接続された第１電気コネクタ対を有し、
前記電池箱の外面は、電池電気接続ユニットに接続された第２電気コネクタ対を有し、
前記電池箱が前記スマートフォン／タブレット箱に接続されると、第１電気コネクタ対と第２電気コネクタ対が接触することを特徴とする付記１４に記載のスマートフォン／タブレット用の電池箱を有するケース。
【００４６】
（付記１７）
前記カバーは、前記電池箱にヒンジ結合され、
前記ロックユニットは、ハスプであることを特徴とする付記１０に記載のスマートフォン／タブレット用の電池箱を有するケース。
【００４７】
（付記１８）
前記カバーは、スマートフォン／タブレット用の電池箱を有するケースの保持を容易にするために、前記電池箱のカバーの側縁に接続された保持バーを有することを特徴とする付記１０に記載のスマートフォン／タブレット用の電池箱を有するケース。
【図１Ａ】
2018139402.tif 000003
【図１Ｂ】
2018139402.tif 000004
【図１Ｃ】
2018139402.tif 000005
【図２Ａ】
2018139402.tif 000006
【図２Ｂ】
2018139402.tif 000007
【図２Ｃ】
2018139402.tif 000008
【図２Ｄ】
2018139402.tif 000009
【図２Ｅ】
2018139402.tif 000010
【図３Ａ】
2018139402.tif 000011
【図３Ｂ】
2018139402.tif 000012
【図４Ａ】
2018139402.tif 000013
【図４Ｂ】
2018139402.tif 000014
【図４Ｃ】
2018139402.tif 000015
【図５Ａ】
2018139402.tif 000016
【図５Ｂ】
2018139402.tif 000017
【図５Ｃ】
2018139402.tif 000018
【図５Ｄ】
2018139402.tif 000019
【図５Ｅ】
2018139402.tif 000020
【図５Ｆ】
2018139402.tif 000021
【外国語明細書】
2018139402000001.pdf